(57)【要約】      （修正有）【課題】携帯端末を衝撃や汚れ、傷などから守るための携帯端末用カバーにおいて今までにない新奇な意匠を実現する。【解決手段】携帯端末の裏面を覆う保護板１と、携帯端末の周側の全部または一部を抱持するために保護板から立設される側板２からなり、保護板には偏平状の空間からなる中空部３を設けるとともに、中空部が存する保護板の表面を透明に構成し、中空部には液体と、液体の色と異なる色からなる畜光性を有する砂状の畜光砂を充填するとともに、畜光砂を液体に対し泳動可能な程度の比率をもって液体に混ぜる。【選択図】図２
0003189656.tif 000002
【実用新案登録請求の範囲】
【請求項１】
携帯端末の裏面を覆う保護板と、携帯端末の周側の全部または一部を抱持するために保護板から立設される側板からなり、保護板には偏平状の空間からなる中空部を設けるとともに、上記中空部が存する保護板の表面を透明に構成し、上記中空部には液体と、液体の色と異なる色からなる畜光性を有する砂状の畜光砂を充填するとともに、畜光砂を液体に対し泳動可能な程度の比率をもって液体に混ぜたことを特徴とする携帯端末用カバー。
【請求項２】
中空部の隅箇所に丸みをもたせた請求項１記載の携帯端末用カバー。
【請求項３】
畜光砂はパウダー状である請求項１または２記載の携帯端末用カバー。
【請求項４】
畜光砂は畜光性を有する顔料とガラス砂を結合したものである請求項１または３記載の携帯端末用カバー。
【考案の詳細な説明】
【技術分野】
【０００１】
この考案はスマートフォンやタブレット端末、それに携帯電話などの携帯端末を衝撃や汚れ、傷などから守るための携帯端末用カバーに関する。
【背景技術】
【０００２】
ディスプレイ箇所にタッチパネル機能を持たせた携帯端末がスマートフォンやタブレット端末を中心に普及している。これらの携帯端末は平面サイズが大きく、かつ薄型であるという形態上の特殊性から、ディスプレイが位置しない裏面を衝撃や汚れ、傷から守ることが望まれ、そのための各種の保護カバーが提案されている。
【０００３】
前記の保護カバーとしては、携帯端末の裏面を覆う保護板と、携帯端末の周側の全部または一部を抱持するために保護板から立設される側板からなるものが広く普及している（例えば特許文献１に記載のカバーなど。）。
【０００４】
また、携帯電話のカバーに畜光塗料を塗布することが特許文献１により、携帯電話のレンズカバーに畜光層を設けることが特許文献２により、携帯電話のストラップに発光素子を設けることが特許文献３によりそれぞれ公知である。
【先行技術文献】
【特許文献】
【０００５】
【特許文献１】実用新案登録第３１７９８４２号公報
【特許文献２】特開平１０−３２２４２６号公報
【特許文献３】特開２００５−２７５０７４号公報
【特許文献４】特開２００５−２７５０７４号公報
【考案の概要】
【考案が解決しようとする課題】
【０００６】
前記したように、携帯端末は平面サイズが大きく、かつ薄型であるという形態上の特殊性を有し、これに被せるカバーも携帯端末の裏面を覆う保護板が大きな面積を占めることとなる。
【０００７】
ところで、携帯端末用カバーの第一の目的は携帯端末の保護にあるが、それと同時にあたかも携帯端末に洋服を着せるような感覚でカバーを被せることにより本来の携帯端末の意匠とは異なる使用者独自の意匠を付すという目的もある。
【０００８】
しかしながら、従来技術の携帯端末用カバーは色彩や素材に工夫を凝らしたものは多いが、具体的な模様などの意匠に工夫を凝らしたものは少なかった。
【０００９】
前記の理由として、模様などの意匠が個性的過ぎると好みが分かれ、商品としての売れ行きのリスクが高くなることが挙げられる。
【００１０】
一方、携帯端末用カバーに畜光塗料を塗布することにより暗闇でも携帯電話を視認可能とする提案が特許文献２によりなされている。
【００１１】
しかしながら、この場合でも従来の模様などの意匠を畜光塗料により施したにすぎず、具体的な模様などの意匠に工夫を凝らしたものでない点においては前記の場合と変わりない。
【課題を解決するための手段】
【００１２】
この考案は前記の課題に鑑みて創作された携帯端末用カバーに関するものであり、携帯端末の裏面を覆う保護板と、携帯端末の周側の全部または一部を抱持するために保護板から立設される側板からなり、保護板には偏平状の空間からなる中空部を設けるとともに、上記中空部が存する保護板の表面を透明に構成し、上記中空部には液体と、液体の色と異なる色からなる畜光性を有する砂状の畜光砂を充填するとともに、畜光砂を液体に対し泳動可能な程度の比率をもって液体に混ぜたことを特徴とする。
【００１３】
また、請求項２記載の携帯端末用カバーは前記の携帯端末用カバーにおいて、中空部の隅箇所に丸みをもたせたことを特徴とする。
【００１４】
また、請求項３記載の携帯端末用カバーは前記の携帯端末用カバーにおいて、畜光砂はパウダー状であることを特徴とする。
【考案の効果】
【００１５】
以上の構成よりなるこの考案の携帯端末用カバーによれば、カバーの保護板に設けられた偏平状の空間からなる中空部には液体と、この液体に対し泳動可能な程度の比率をもって混ぜた畜光性を有する砂状の畜光砂が充填されているので、カバーを被せた携帯端末を持ち歩いたり使用して傾くたびに、畜光砂は液体の中で泳動してその姿が変化する。そして、この場合畜光砂と液体の色は異なるのでカバーの意匠は常に変化する動的なものとなるという今までにない意匠効果をもった携帯端末用カバーとなる。
【００１６】
前記の場合、請求項３に記載のように畜光砂をパウダー状とした場合は、畜光砂は液体中で互いによりそって集合体となりやすくなり、傾いた際に泳動する場合に畜光砂の集合体が形を変えながら徐々に移動するというあたかもさざ波のような視覚効果を得ることができる。これは今までにない意匠効果である。
【００１７】
また、この考案の携帯端末用カバーは畜光砂により暗闇でも携帯端末を視認可能となる公知の効果を奏するが、前記したように携帯電話の動きに従って畜光砂は液体の中で泳動するので、その光は動的になるという従来にない作用が生じる。その結果、例えばバッグなどの奥深くに携帯電話が埋もれて探しにくいときでもバッグを揺すれば泳動した畜光砂により動的な光が発せられるので容易に探し当てることができる。
【００１８】
さらに、請求項２記載の考案によれば、液体と畜光砂が充填される中空部において、その隅箇所に丸みをもたせているので、畜光砂の泳動に際し畜光砂が隅箇所に滞留することがなく、中空部の全域に渡ってスムーズに泳動することが可能となる。
【図面の簡単な説明】
【００１９】
【図１】この考案の携帯端末用カバーを表面側から観察した斜視図。
【図２】この考案の携帯端末用カバーを裏面側から観察した斜視図。
【図３】この考案の携帯端末用カバーの断面図。
【図４】この考案の携帯端末用カバーの使用状態を示す断面図。
【図５】この考案の携帯端末用カバーの使用状態を示す断面図。
【図６】この考案の携帯端末用カバーの意匠の変化を示す平面図。
【図７】この考案の携帯端末用カバーの意匠の変化を示す平面図。
【考案を実施するための形態】
【００２０】
以下、この考案の携帯端末用カバーの具体的実施例を添付図面に基づいて説明する。この考案はスマートフォンやタブレット端末、それに携帯電話などのカバーに実施することを想定しているが、ここではスマートフォン用のカバーを例にとることとする。
【００２１】
図中符号１はカバーの保護板である。この保護板１は携帯端末Ｔの裏面を覆う形状からなり、周側からは携帯端末の周側の全部または一部を抱持するために側板３が立設される。前記カバーはプラスチックなどの軽い弾性を有する素材により成型されるともに、側板３の下端には僅かに内方に張り出した環状の係合張り出し２Ａが突設され、保護板１と側板３に囲まれる凹所に携帯電話Ｔを圧入することにより保護板と係合張り出し間に携帯電話を抱持する（図４〜５参照）。なお、図中符号４は携帯端末Ｔのカメラレンズ部分を露出させるために保護板１に開口される窓部である。
【００２２】
図中符号３はカバーの保護板１に設けられる中空部である。この中空部３は高さが僅少な偏平状の空間からなるものであり保護板１のほぼ全域に渡って設けられる。上記中空部３が存する保護板１の表面は透明に構成されることにより、中空部の中を視認できるようにしてある。
【００２３】
前記中空部３には充填物Ｄとして液体と、液体の色と異なる色からなる畜光性を有する砂状の畜光砂が充填される。この実施例では液体として着色した水を使用し、畜光砂として畜光性を有する顔料とガラス砂を結合したものを使用している。上記の畜光砂は液体に対し泳動できなくてはならず、そのために液体に対する比率は液体中を泳動可能な程度に押さえられる。
【００２４】
また、この実施例では中空部３において、その隅箇所Ｃに丸みをもたせることにより、畜光砂の泳動に際し畜光砂が隅箇所に滞留することがなく、中空部の全域に渡ってスムーズに泳動することを可能としている。
【００２５】
また、この実施例では畜光砂を微細なパウダー状とすることにより、液体中で互いによりそって集合体となりやすくし、傾いた際に泳動する場合にこの集合体が形を変えながら徐々に移動するというあたかもさざ波のような意匠効果を生じさせている。
【００２６】
図６、７は前記の意匠効果を示す図であり、図中白色の箇所が畜光砂、黒色の箇所が液体である。図６における状態から携帯端末を右方に傾けると充填物Ｄの外観は図７のように変化する。
【符号の説明】
【００２７】
１                保護板
２                側板
３                中空物
Ｄ                充填物
【図１】
0003189656.tif 000003
【図２】
0003189656.tif 000004
【図３】
0003189656.tif 000005
【図４】
0003189656.tif 000006
【図５】
0003189656.tif 000007
【図６】
0003189656.tif 000008
【図７】
0003189656.tif 000009